(57)【特許請求の範囲】
【請求項１】
折り畳んだ吸収性物品を立てた状態で横方向に圧縮して重ね合わせて収容する、天面の貼合部に吊手部をそなえた直方体状のフィルムからなる吸収性物品の包装袋において、
前記貼合部から前記天面を通って前面に達し、その前面から片側側面を通って背面に至り、その背面から前記天面を通って前記貼合部に戻るループ状に設け、前記吸収性物品を１つずつ取り出し可能に、かつ、前記吊手部を前記包装袋に残した状態で前記貼合部の一部を切り離して片側の肩部を分離する第１のミシン目と、
その第１のミシン目に連結するように設け、前記吸収性物品を取り出しやすくするように前記肩部に隣接する側面を下方に切り下ろすことができる第２のミシン目とをそなえ、
前記第１のミシン目の切断部分に対する非切断部分の割合が、前記第２のミシン目の切断部分に対する非切断部分の割合より小さいことを特徴とする吸収性物品の包装袋。
【請求項２】
前記第２のミシン目の切り下ろし長さを前記包装袋の高さの１／２以下にすることを特徴とする、請求項１に記載の吸収性物品の包装袋。
【請求項３】
前記第２のミシン目を平行に設けることを特徴とする、請求項１または２に記載の吸収性物品の包装袋。
【請求項４】
前記第２のミシン目を前記肩部に隣接する側面に設けることを特徴とする、請求項１ないし３のいずれか１に記載の吸収性物品の包装袋。
【発明の詳細な説明】
【０００１】
【発明の属する技術分野】
この発明は、圧縮された紙おむつなどの吸収性物品を収容する、フィルムからなる吸収性物品の包装袋に関する。
【０００２】
【従来の技術】
この種の吸収性物品の包装袋として、例えば、特開平１１−９１７９７号公報に記載されたものがある。図６に示すように、この吸収性物品の包装袋は、吊手部５１ａを有する貼合部５１をそなえた天面５２、底面５３、一対の側面５４、前面５５、背面５６をそなえた直方体状のフィルムからなる。包装袋の中には、折り畳まれた複数の紙おむつ５７が圧縮された状態で収容されている。また、この包装袋の天面５２から前面５５を通って側面５４に至り、さらに背面５６を通って天面５２に至るループ状のミシン目を設ける。
【０００３】
このような包装袋を開封して紙おむつ５７を取り出すには、ミシン目に沿って包装袋を開封し、開封した包装袋のフィルムを未開封のフィルムの上に垂らして開口部５８を形成する。そして、その開口部５８より紙おむつ５７を１つずつ取り出す。
【０００４】
また、別の例が、特開２００１−３０１８５９号公報に開示されている。図７に示すように、この吸収性物品の包装袋は、吊手部をそなえた蓋部６１と容器部６２とからなる直方体状のフィルムからなる。包装袋の中には、図６と同様に、折り畳まれた複数の紙おむつ５７が圧縮された状態で収容されている。また、包装袋の蓋部６１と容器部６２との境界には、ループ状にミシン目を設ける。
【０００５】
このような包装袋を開封して紙おむつ５７を取り出すには、ミシン目に沿って包装袋を開封し、蓋部６１を容器部６２から分離して、開口部６３を形成する。そして、その開口部６３より紙おむつ５７を取り出す。
【０００６】
【発明が解決しようとする課題】
しかし、図６のような吸収性物品の包装袋では、天面５２に開口部５８が十分に確保されていないので、収容されている紙おむつ５７を開口部５８から容易に取り出しにくいという問題がある。
【０００７】
また、図７のような吸収性物品の包装袋では、開封後に吊手部６１ａをそなえた蓋部６１が容器部６２から完全に分離してしまうので、開封後に包装袋を持ち運びにくいという問題がある。
【０００８】
そこで、この発明の第１の目的は、開封後に持ち運び可能な状態を保持しつつ、収容された吸収性物品を取り出しやすい吸収性物品の包装袋を提供することにある。
【０００９】
また、図６では、開口部５８が側面５４の下方にまで達しているので、圧縮されて収容されている紙おむつ５７が開口部５８から外側にはみ出してしまい、見栄えが悪いという問題があった。そこで、この発明の第２の目的は、吸収性物品を安定して収容することができる吸収性物品の包装袋を提供することにある。
【００１０】
さらに、複数のミシン目を設ける場合、包装袋にそなえられた１つのミシン目に沿って開封する際に、別のミシン目にまで破断が及んでしまうという問題があった。そこで、この発明の第３の目的は、複数のミシン目をそれぞれ個別に破断することができる吸収性物品の包装袋を提供することにある。
【００１１】
また、図６では、開口部５８が側面５４の幅方向全体に達しているので、圧縮されて収容されている紙おむつ５７が収容状態を保持できず、圧縮力により開口部５８から外側にはみ出してしまい、見栄えが悪いという問題があった。そこで、この発明の第４の目的は、吸収性物品をより安定的に収容することができる吸収性物品の包装袋を提供することにある。
【００１２】
【課題を解決するための手段】
そのため、請求項１に記載の発明は、上記第１の目的を達成すべく、折り畳んだ吸収性物品を立てた状態で横方向に圧縮して重ね合わせて収容する、天面の貼合部に吊手部をそなえた直方体状のフィルムからなる吸収性物品の包装袋において、
前記貼合部から前記天面を通って前面に達し、その前面から片側側面を通って背面に至り、その背面から前記天面を通って前記貼合部に戻るループ状に設け、前記吸収性物品を１つずつ取り出し可能に、かつ、前記吊手部を前記包装袋に残した状態で前記貼合部の一部を切り離して片側の肩部を分離する第１のミシン目と、その第１のミシン目に連結するように設け、前記吸収性物品を取り出しやすくするように前記肩部に隣接する側面を下方に切り下ろすことができる第２のミシン目とをそなえ、
前記第１のミシン目の切断部分に対する非切断部分の割合が、前記第２のミシン目の切断部分に対する非切断部分の割合より小さいことを特徴とする。
【００１３】
請求項２に記載の発明は、上記第２の目的を達成すべく、請求項１に記載の吸収性物品の包装袋において、前記第２のミシン目の切り下ろし長さを前記包装袋の高さの１／２以下にすることを特徴とする。
【００１４】
請求項３に記載の発明は、請求項１または２に記載の吸収性物品の包装袋において、前記第２のミシン目を平行に設けることを特徴とする。
【００１５】
請求項４に記載の発明は、上記第４の目的を達成すべく、請求項１ないし３のいずれか１に記載の吸収性物品の包装袋において、前記第２のミシン目を前記側面に設けることを特徴とする。
【００１６】
【発明の実施の形態】
以下、図面を参照しつつ、この発明の実施の形態につき説明する。図１に示すように、吸収性物品の一例としての紙おむつの包装袋は、貼合部１ａを有する天面１、底面２、一対の側面３、前面４、背面５をそなえた直方体状のポリエチレンフィルム（フィルム）からなる。包装袋の中には、折り畳んだ複数の紙おむつ６を立てた状態で横方向に圧縮して重ね合わせて収容する。
【００１７】
貼合部１ａは、包装袋を運ぶ際に手で把む部分であり、貼合部１ａの中央には、手を挿入するための吊手部１ｂを設ける。一方、天面１の側面３と隣接する部分である肩部には、第１のミシン目７を設ける。この第１のミシン目７は、貼合部１ａから天面１を通って前面４に達し、側面３を通って背面５に至り、天面１から貼合部１ａに至るループ状に設けられ、かつ、吊手部１ｂを包装袋に残した状態で肩部を分離するように設けられている。
【００１８】
さらに、側面３には、側面３を下方に切り下ろすことができる第２のミシン目８を第１のミシン目７に連結するように設ける。この第２のミシン目８は、片側の側面３に、第１のミシン目７に連結して２本平行に設けられる。これにより、側面３の両側部に未開口部分が形成されるので、圧縮されて収容された紙おむつ６が安定して収容される。この第２のミシン目８の切り下ろし長さは、包装袋の側面３の高さＨの１／３となるようにする。そして、第１のミシン目７の切断部分に対する非切断部分の割合（以下、「タイカット比」という。）を、第２のミシン目８のタイカット比より小さくすることによって、第１のミシン目７の方が第２のミシン目８より破断しやすくする。
【００１９】
このように構成された吸収性物品の包装袋を開封して紙おむつ６を取り出すには、まず、図２に示すように、一方の手で肩部にある貼合部１ａをつまんで第１のミシン目７に沿って包装袋の肩部を分離して、開口部９を形成する。なお、前述のように、第２のミシン目８のタイカット比は、第１のミシン目７のタイカット比よりも大きいので、図２において、第１のミシン目７に沿って肩部を分離する際には、第２のミシン目８は、破断しにくくなっている。そして、図３に示すように、第２のミシン目８を切り離す。
【００２０】
次に、開口部９から１枚の紙おむつ６を取り出す。なお、肩部を第１のミシン目７に沿って分離して開口部９を形成するので、紙おむつ６が開口部９から取り出し可能となり、また、側面３の上部１／３を第２のミシン目８によって切り離すので、圧縮力が低減され、紙おむつ６を取り出しやすくなる。
【００２１】
次に、包装袋に収容された紙おむつ６の構成について説明する。紙おむつ６は、図４に示すように、不織布などからなる略砂時計状のトップシート１１と同じく不織布などからなる略砂時計状のバックシート１２の間に綿状パルプからなる吸収体１３が介在してなる。この吸収体１３は吸収用のティシューペーパーで被覆されている。
【００２２】
そして、吸収体１３とバックシート１２との間には、ポリエチレンフィルムからなる不透液性シート１４がそなえられ、トップシート１１、ティシューペーパー、不透液性シート１４、バックシート１２は、紙おむつ６の端部においてそれぞれホットメルト接着剤により接着される。このトップシート１１は、紙おむつ６の使用面を構成する。
【００２３】
トップシート１１の両側部には、内部に糸ゴム１７をそなえて使用面側に突出する脚回り用起立カフス１５が形成されている。また、１８は止着部材であり、装着時に紙おむつ６の腰まわりを固定するものである。
【００２４】
このように構成された紙おむつ６は、一点鎖線Ｆ１において、両側から内側に向かって折り畳み、さらに、二点鎖線Ｆ２において、両端から内側に向かって折り畳んで、圧縮されて包装袋に収容される。
【００２５】
また、使用時に包装袋から取り出した後は、上記の折り畳み順序と逆、すなわち、二点鎖線Ｆ２において展開し、次に一点鎖線Ｆ１において展開して、被装着者に装着して、止着テープ１８で止着する。
【００２６】
そして、使用する紙おむつ６を包装袋から取り出した後、包装袋を持ち運ぶには、貼合部１ａの吊手部１ｂに手を入れて持ち運び、押し入れなどの適当な場所に保管する。
【００２７】
なお、この例では、第２のミシン目８の切り下ろし長さを包装袋の側面３の高さＨの１／３としたが、本発明はこれに限定されるものではなく、側面３の高さＨの１／２以下とし、立てた状態で収容された吸収性物品の側面３に当接する面積が、側面３に当接しない面積より大きくなるようにすればよい。
【００２８】
また、この例では、第１のミシン目７を、貼合部１ａから天面１を通って前面４に達し、側面３を通って背面５に至り、天面１から貼合部１ａに至るループ状に設けたが、図５に示すようにしてもよい。すなわち、第１のミシン目を、貼合部１ａから天面１上を通って、貼合部１ａに至るループ状に設ける。この場合、図のように、第２のミシン目８を側面３に加えて、前面４、背面５に設け、これを破断することによって、一層、収容された紙おむつを取り出しやすくなる。
【００２９】
さらに、この例では、吸収性物品として紙おむつを例に説明したが、これに限定されるものではなく、例えば、尿取りパッド、あるいは、生理用ナプキンを収容した包装袋に適用してもよい。
【００３０】
また、この例の吸収性物品の包装袋は、ポリエチレンフィルムを用いているが、本発明はこれに限定されるものではなく、例えば、ポリプロピレンフィルム、ポリエステルフィルム、ポリ塩化ビニルフィルムなどを用いてもよい。
【００３１】
【発明の効果】
したがって、請求項１に記載の発明によれば、第１のミシン目に沿って肩部を分離し、第２のミシン目に沿って肩部に隣接する側面を途中まで切り下ろして収容されている吸収性物品の圧縮力を低減するので、開封後に持ち運び可能な状態を保持しつつ、収容された吸収性物品を容易に取り出すことができる。
【００３２】
請求項２に記載の発明によれば、側面の少なくとも下半分が吸収性物品を保持するので、包装袋に圧縮されて収容されている吸収性物品を、開口部から外側にはみ出すことなく安定的に収容することができる。
【００３３】
請求項３に記載の発明によれば、第２のミシン目を平行に設けるので、吸収性物品を取り出しやすくするように肩部に隣接する側面を下方に切り下ろすことができる。
【００３４】
請求項４に記載の発明によれば、側面の両側部の未開口部分が吸収性物品を保持するので、包装袋に圧縮されて収容されている吸収性物品を、開口部から外側にはみ出すことなくより一層安定的に収容することができる。
【図面の簡単な説明】
【図１】吸収性物品を収容した状態のこの発明の包装袋の斜視図である。
【図２】その肩部を分離した状況を示す斜視図である。
【図３】さらにその側面を切り下ろした状況を示す斜視図である。
【図４】この発明による吸収性物品の包装袋に収容された吸収性物品の一例としての紙おむつの平面図である。
【図５】吸収性物品を収容した状態のこの発明の別の包装袋の斜視図である。
【図６】従来の吸収性物品の包装袋の斜視図である。
【図７】従来の別の吸収性物品の包装袋の斜視図である。
【符号の説明】
１    天面
１ｂ    吊手部
３    側面
７    第１のミシン目
８    第２のミシン目
【図１】
0003684215.tif 000002
【図２】
0003684215.tif 000003
【図３】
0003684215.tif 000004
【図４】
0003684215.tif 000005
【図５】
0003684215.tif 000006
【図６】
0003684215.tif 000007
【図７】
0003684215.tif 000008